(57)【要約】【課題】光学素子を冷却する冷却装置の光透過部に結露が発生することを防止できる投写型映像表示装置を提供する。【解決手段】投写型映像表示装置１００において、冷却装置２００は、光学素子３００を略密閉する空気ダクト２１０と、空気流路２１０ａを流れる空気を冷却する冷却部２３０とを有する。空気ダクト２１０は、光源１０から光学素子３００に向かって出射される光を透過させる光透過部３００ａを含む。送風機４００は、光透過部３００ａの外表面に空気を吹き送る。【選択図】図４
2010048885.tif 000002
【特許請求の範囲】
【請求項１】
光源と、
前記光源から出射される光が照射される光学素子と、
前記光学素子から出射される光を投写する投写光学系と、
前記光学素子を冷却する冷却装置と、
を備える投写型映像表示装置であって、
前記冷却装置は、
空気の流路である空気流路を形成する空気ダクトと、
前記空気流路を流れる空気を冷却する冷却部と
を有し、
前記光学素子は、前記空気ダクト内に配置され、
前記空気ダクトは、前記光源から前記光学素子に向かって出射される光を透過させる光透過部を含み、
前記光透過部の外表面に空気を吹き送る送風機を有する
ことを特徴とする投写型映像表示装置。
【請求項２】
前記光学素子は、前記光透過部を構成する
ことを特徴とする請求項１に記載の投写型映像表示装置。
【請求項３】
前記送風機から送り出される空気を前記光透過部の前記外表面に導く導風ダクトを備える
ことを特徴とする請求項１又は２に記載の投写型映像表示装置。
【請求項４】
前記冷却装置は、前記光透過部の上方に設けられ、前記空気ダクトの外側に差し出るひさし部を有する
ことを特徴とする請求項１乃至３の何れかに記載の投写型映像表示装置。
【請求項５】
前記送風機から前記光透過部の前記外表面まで空気を導く導風ダクトを備え、
前記冷却装置は、前記光透過部の前記外表面の上方に設けられ、前記空気ダクトの外側に差し出るひさし部を有しており、
前記導風ダクトの一部は、前記ひさし部を構成する
ことを特徴とする請求項１又は２に記載の投写型映像表示装置。
【請求項６】
前記外表面近傍の空気の温度を測定する温度センサと、
前記外表面近傍の空気の湿度を測定する湿度センサと、
前記温度センサ及び前記湿度センサの測定結果に応じて、前記送風機を制御する制御部と
を備えることを特徴とする請求項１乃至５の何れかに記載の投写型映像表示装置。
【発明の詳細な説明】
【技術分野】
【０００１】
本発明は、光源と、光源から出射される光が照射される光学素子と、光学素子から出射された光を投写する投写光学系とを有する投写型映像表示装置に関する。
【背景技術】
【０００２】
従来、光源と、光源から出射された光を変調する光学素子と、光学素子から出射された光を投写する投写光学系とを有する投写型映像表示装置が知られている。光学素子は、液晶パネル、偏光板、レンズなどである。
【０００３】
上述した投写型映像表示装置では、光源から出射された光は、光の進路上に設けられる光学素子に照射される。すなわち、光源から出射された光によって光学素子が加熱される。そこで、このような光学素子などの冷却対象を冷却する冷却装置が広く用いられる。冷却装置としては、光源から出射される光を妨げないように、空冷式の冷却装置を用いることが好ましい。なお、液冷式の冷却装置などを用いることは、出射される光を妨げる虞れがあるため好ましくないことに留意すべきである。
【０００４】
例えば、空冷式の冷却装置は、光学素子を密閉する空気ダクト（空気流路）と、空気ダクト内を流れる空気を冷却する冷却部とを備える。冷却部としては、例えば、コンプレッサーユニットやペルチェ素子が用いられる。光学素子は、空気ダクト内を流れる冷気によって冷却される（例えば、特許文献１）。空気ダクトは、光源から出射される光を空気ダクト内の光学素子に導く光透過部を備える。このような光透過部は、冷却装置の外壁の一部を構成する。
【特許文献１】特開２００５−１２１２５０号公報
【発明の開示】
【発明が解決しようとする課題】
【０００５】
しかしながら、光透過部は、空気ダクト内を流れる冷気によって外気の温度よりも低い状態となり、光透過部の外表面温度が露点温度を下回る場合があり、下回った場合には光透過部の外表面に結露が発生するという問題があった。この場合、光透過部を透過する光の透過率の低下や、光透過部を透過する光の焦点の歪みなどが発生してしまう。
【０００６】
そこで、本発明は、上述した問題を解決するためになされたものであり、光学素子を冷却する冷却装置の光透過部に結露が発生することを防止できる投写型映像表示装置を提供することを目的とする。
【課題を解決するための手段】
【０００７】
本発明の一の特徴に係る投写型映像表示装置（投写型映像表示装置１００）は、光源（光源１０）と、光源から出射される光が照射される光学素子（光学素子３００）と、光学素子から出射される光を投写する投写光学系（投写レンズユニット１１０）と、光学素子を冷却する冷却装置（冷却装置２００）とを備え、冷却装置は、空気の流路である空気流路（空気流路２１０ａ）を形成する空気ダクト（空気ダクト２１０）と、空気流路を流れる空気を冷却する冷却部（冷却部２３０）とを有する。光学素子は、空気ダクト内に配置される。空気ダクトは、光源から光学素子に向かって出射される光を透過させる光透過部（光透過部３００ａ）を含む。送風機４００は、光透過部の外表面に空気を吹き送る。
【０００８】
かかる特徴によれば、光透過部の外表面は、送風機によって吹き送られる空気によって温められる。従って、光透過部の外表面が露点温度を下回ることを回避できるため、光透過部の外表面に結露が発生することを防止できる。
【０００９】
本発明の一の特徴において、光学素子は、光透過部を構成してもよい。
【００１０】
本発明の一の特徴において、投写型映像表示装置は、送風機から送り出される空気を光透過部の外表面に導く導風ダクト（導風ダクト４０１）を備えていてもよい。
【００１１】
本発明の一の特徴において、冷却装置は、光透過部の上方に設けられ、空気ダクトの外側に差し出るひさし部（ひさし部２４０）を有していてもよい。この場合、上述の導風ダクトの一部がひさし部を構成してもよい。
【００１２】
本発明の一の特徴において、送風機から光透過部の外表面まで空気を導く導風ダクト（導風ダクト４０１）を備え、冷却装置は、光透過部の外表面の上方に設けられ、空気ダクトの外側に差し出るひさし部（ひさし部２４０）を有しており、導風ダクトの一部は、ひさし部を構成してもよい。
【００１３】
本発明の一の特徴において、投写型映像表示装置は、外表面近傍の空気の温度を測定する温度センサ（温度センサ５０１）と、外表面近傍の空気の湿度を測定する湿度センサ（湿度センサ５０２）と、温度センサ及び湿度センサの測定結果に応じて、送風機を制御する制御部とを備えていてもよい。
【発明の効果】
【００１４】
本発明によれば、光学素子を冷却する冷却装置の光透過部に結露が発生することを防止できる投写型映像表示装置を提供することができる。
【発明を実施するための最良の形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［第１実施形態］
（投写型映像表示装置の概略構成）
以下において、第１実施形態に係る投写型映像表示装置１００の概略構成について、図面を参照しながら説明する。図１は、投写型映像表示装置１００の筐体内部の構造を示す図である。図２は、投写型映像表示装置１００を構成する光学素子の配置を示す図である。
【００１８】
図１及び図２に示すように、投写型映像表示装置１００は、投射レンズユニット（投射光学系）１１０と、冷却装置２００と、光学素子３００と、複数の送風機４００（送風機４００Ｒ,４００Ｇ,４００Ｂ,４００Ｌ）とを備える。
【００１９】
投射レンズユニット１１０は、光学素子３００から出射される合成光（映像光）をスクリーン上などに投写する。
【００２０】
冷却装置２００は、光学素子３００を冷却する空冷式の冷却装置である。冷却装置２００は、空気ダクト２１０と、冷却ファン２２０と、冷却部２３０（図４参照）とを有する。空気ダクト２１０は、空気の流路である空気流路２１０ａを形成する。冷却ファン２２０は、空気ダクト２１０内に空気を循環させる。冷却部２３０は、空気流路２１０ａを流れる空気を冷却する。なお、空気ダクト２１０は、光源（図３参照）から光学素子３００に向かって出射される光を透過する光透過部３００ａを備える。冷却装置２００の詳細については後述する。
【００２１】
光学素子３００は、図２に示すように、光源から出射された光を変調するための液晶パネル、偏光板、レンズ、或いは冷却装置２００内部を略密閉状態に保つための密閉用レンズ１１０Ｌを含む。などを含む。光学素子３００には、光源から出射された後、光透過部３００ａを透過した光が照射される。光学素子３００は、空気ダクト２１０内に略密閉状態で配置され、空気流路２１０ａを流れる冷気によって冷却される。第１実施形態では、光学素子３００は、空気ダクト２１０の外壁の一部を構成する光透過部３００ａを構成する。光学素子３００の詳細については後述する。
【００２２】
複数の送風機４００（送風機４００Ｒ,４００Ｇ,４００Ｂ,４００L）は、冷却装置２００の外壁に空気を吹き送る。具体的には、各送風機４００は、空気ダクト２１０の一部を構成する光透過部３００ａの外表面に空気を吹き送る。これにより、光透過部３００ａの外表面は、空気流路２１０ａを流れる冷気よりも温度の高い空気（外気）によって温められる。
【００２３】
（投写型映像表示装置の詳細構成）
以下において、第１実施形態に係る投写型映像表示装置１００の詳細構成について、図面を参照しながら説明する。図３は、投写型映像表示装置１００の構成を示す模式図である。
【００２４】
図３に示すように、投写型映像表示装置１００は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ、液晶パネル５０Ｂ）と、クロスダイクロイックプリズム６０と、投写レンズユニット１１０とを有する。
【００２５】
光源１０は、白色光を発するＵＨＰなどの超高圧水銀ランプなどである。光源１０が発する光は、赤成分光、緑成分光及び青成分光を含む。
【００２６】
ＵＶ／ＩＲカットフィルタ２０は、可視光成分（赤成分光、緑成分光及び青成分光）を透過する一方、視外光成分（例えば、赤外成分光や紫外成分光）を遮光する。
【００２７】
フライアイレンズユニット３０は、光源１０が発する光を均一化する。具体的には、フライアイレンズユニット３０は、フライアイレンズ３０ａ及びフライアイレンズ３０ｂによって構成される。
【００２８】
フライアイレンズ３０ａ及びフライアイレンズ３０ｂは、それぞれ、複数の微少レンズによって構成される。各微少レンズは、光源１０が発する光が液晶パネル５０の全面に照射されるように、光源１０が発する光を導く。
【００２９】
ＰＢＳアレイ４０は、フライアイレンズユニット３０から出射された光の偏光状態を揃える。例えば、ＰＢＳアレイ４０は、フライアイレンズユニット３０から出射された光をＳ偏光に揃える。
【００３０】
また、投写型映像表示装置１００は、ミラー群（ダイクロイックミラー１１１、ダイクロイックミラー１１２、反射ミラー１２１〜反射ミラー１２３）と、レンズ群（コンデンサレンズ１３１〜コンデンサレンズ１３３、コンデンサレンズ１４０Ｒ、コンデンサレンズ１４０Ｇ、コンデンサレンズ１４０Ｂ、リレーレンズ１５１〜リレーレンズ１５３）とを有する。
【００３１】
ダイクロイックミラー１１１は、ＰＢＳアレイ４０から出射された光のうち、赤成分光を透過する。ダイクロイックミラー１１１は、ＰＢＳアレイ４０から出射された光のうち、緑成分光及び青成分光を反射する。
【００３２】
ダイクロイックミラー１１２は、ダイクロイックミラー１１１で反射された光のうち、青成分光を透過する。ダイクロイックミラー１１２は、ダイクロイックミラー１１１で反射された光のうち、緑成分光を反射する。
【００３３】
反射ミラー１２１は、赤成分光を反射して赤成分光を液晶パネル５０Ｒ側に導く。反射ミラー１２２及び反射ミラー１２３は、青成分光を反射して青成分光を液晶パネル５０Ｂ側に導く。
【００３４】
コンデンサレンズ１３１は、光源１０が発する白色光を集光するレンズである。コンデンサレンズ１３２は、ダイクロイックミラー１１１を透過した赤成分光を集光する。コンデンサレンズ１３３は、ダイクロイックミラー１１１で反射された緑成分光及び青成分光を集光する。
【００３５】
コンデンサレンズ１４０Ｒは、液晶パネル５０Ｒに赤成分光が照射されるように、赤成分光を略平行光化する。コンデンサレンズ１４０Ｇは、液晶パネル５０Ｇに緑成分光が照射されるように、緑成分光を略平行光化する。コンデンサレンズ１４０Ｂは、液晶パネル５０Ｂに青成分光が照射されるように、青成分光を略平行光化する。コンデンサレンズ１４０Ｂの光出射面側には、紫外成分を遮光するＵＶカットフィルタ２１が設けられる。
【００３６】
リレーレンズ１５１〜リレーレンズ１５３は、青成分光の拡大を抑制しながら、液晶パネル５０Ｂ上に青成分光を略結像する。
【００３７】
液晶パネル５０Ｒは、赤成分光の偏光方向を回転させることによって赤成分光を変調する。液晶パネル５０Ｒの光入射面側には、光の拡散を抑えて、コントラスト比や透過率を向上させる補償板５１Ｒが設けられている。
【００３８】
補償板５１Ｒの光入射面側には、一の偏光方向（例えば、Ｐ偏光）を有する光を透過して、他の偏光方向（例えば、Ｓ偏光）を有する光を遮光する入射側偏光板５２Ｒが設けられている。入射側偏光板５２Ｒの光入射面側には、入射側偏光板５２Ｒに入射する光の光量や熱負担を軽減させる入射側プリ偏光板５３Ｒが設けられている。
【００３９】
一方、液晶パネル５０Ｒの光出射面側には、後述する出射側偏光板５５Ｒに入射する光の光量や熱負担を軽減させる出射側プリ偏光板５４Ｒが設けられている。出射側プリ偏光板５４Ｒの光出射面側には、一の偏光方向（例えば、Ｐ偏光）を有する光を遮光して、他の偏光方向（例えば、Ｓ偏光）を有する光を透過する出射側偏光板５５Ｒが設けられている。
【００４０】
同様に、液晶パネル５０Ｇは、緑成分光の偏光方向を回転させることによって緑成分光を変調する。液晶パネル５０Ｇの光入射面側には、補償板５１Ｇ、入射側偏光板５２Ｇ及び入射側プリ偏光板５３Ｇが設けられている。一方、液晶パネル５０Ｇの光出射面側には、出射側プリ偏光板５４Ｇ及び出射側偏光板５５Ｇが設けられている。
【００４１】
同様に、液晶パネル５０Ｂは、青成分光の偏光方向を回転させることによって青成分光を変調する。液晶パネル５０Ｂの光入射面側には、補償板５１Ｂ、入射側偏光板５２Ｂ及び入射側プリ偏光板５３Ｂが設けられている。一方、液晶パネル５０Ｂの光出射面側には、出射側プリ偏光板５４Ｂ及び出射側偏光板５５Ｂが設けられている。
【００４２】
クロスダイクロイックプリズム６０は、液晶パネル５０Ｒ、液晶パネル５０Ｇ及び液晶パネル５０Ｂから出射された光を合成する。クロスダイクロイックプリズム６０は、投写レンズユニット１１０側に合成光を出射する。
【００４３】
投写レンズユニット１１０は、クロスダイクロイックプリズム６０から出射された合成光（映像光）をスクリーン上などに投写する。  ここで、上述した液晶パネル５０、補償板５１、入射側偏光板５２、入射側プリ偏光板５３、出射側プリ偏光板５４、出射側偏光板５５、コンデンサレンズ１４０R,１４０G及びリレーレンズ１５３は、第１実施形態に係る光学素子３００を構成する。
【００４４】
また、第１実施形態では、コンデンサレンズ１４０Ｒ,１４０Ｇ及びリレーレンズ１５３は、図３に示すように、光透過部３００ａを構成する。コンデンサレンズ１４０Ｒ,１４０Ｇ及びリレーレンズ１５３は、空気ダクト２１０の外壁の一部を構成しており、空気ダクト２１０内を略密閉状態に保つ機能を有する。光学素子３００は、光源１０から出射される光による加熱によって劣化することを抑制するために、空気流路２１０ａを流れる冷気によって冷却される。
【００４５】
（冷却装置の構成）
以下において、第１実施形態に係る冷却装置の詳細構成について、図面を参照しながら説明する。図４は、図１のＡ−Ａ断面図である。
【００４６】
図４に示すように、空気ダクト２１０の一部には、光学素子３００に光を出射するための光透過部３００ａが形成されている。光透過部３００ａは、コンデンサレンズ１４０Ｒ,１４０Ｇ及びリレーレンズ１５３によって構成される（コンデンサレンズ１４０Ｇは不図示）。空気ダクト２１０のうち光透過部３００ａを除く部分は断熱材によって覆われる。従って、空気ダクト２１０内は、所定の冷却温度に保持される。
【００４７】
冷却部２３０は、例えば、コンプレッサーユニットである。冷却部２３０は、空気流路２１０ａを流れる空気の熱を、図示しない冷媒流路内を循環する冷媒により吸収することによって、空気を所定の冷却温度に冷却する。冷却部２３０によって冷却された空気（冷気）は、冷却ファン２２０によって光学素子３００に送られる。これにより、光学素子３００は、所定の冷却温度に冷却される。
【００４８】
ここで、図４に示すように、各送風機４００は、光透過部３００ａの外表面に空気（外気）を吹き送る。具体的には、送風機４００Ｒは、コンデンサレンズ１４０Ｒの外表面に空気を吹き送る。送風機４００Ｂは、リレーレンズ１５３の外表面に外気を吹き送る。これにより、冷却部２３０によって冷却されたコンデンサレンズ１４０Ｒ及びリレーレンズ１５３の外表面は、外気の温度（外気温度）に温められる。
【００４９】
また、投写型映像表示装置１００は、図４に示すように、温度センサ５０１、湿度センサ５０２及び制御部５０３を有する。
【００５０】
温度センサ５０１及び湿度センサ５０２それぞれは、光透過部３００ａの外表面に近接して配置される。温度センサ５０１は、光透過部３００ａの外表面近傍の外気の温度を測定する。湿度センサ５０２は、光透過部３００ａの外表面近傍の外気の湿度を測定する。
【００５１】
制御部５０３は、温度センサ５０１の測定温度と冷却部２３０との温度差が、所定の温度差になった場合に、送風機４００を稼動させる。このような、所定の温度差は、湿度センサ５０２の測定値に応じて変更することができる。
【００５２】
（作用及び効果）
第１実施形態に係る投写型映像表示装置１００において、冷却装置２００は、光学素子３００を略密閉する空気ダクト２１０と、空気流路２１０ａを流れる空気を冷却する冷却部２３０とを有する。空気ダクト２１０は、光源１０から光学素子３００に向かって出射される光を透過させる光透過部３００ａを含む。送風機４００は、光透過部３００ａの外表面に空気を吹き送る。
【００５３】
このように、光源１０から光学素子３００に向かって出射される光により光学素子３００が加熱されて劣化することを、冷却部２３０によって光学素子３００を冷却することにより抑制できる。一方で、光透過部３００ａの外表面は、送風機４００によって吹き送られる空気によって温められる。従って、光透過部３００ａの外表面が露点温度を下回ることを回避できる。その結果、光透過部３００ａの外表面に結露が発生することを防止できる。
【００５４】
また、第１実施形態では、光学素子３００は、光透過部３００ａを構成する。具体的には、コンデンサレンズ１４０Ｒ,１４０Ｇ及びリレーレンズ１５３が、光透過部３００ａとして機能する。従って、光透過性部材によって、別途、光透過部３００ａを形成する場合に比べて、投写型映像表示装置１００の製造コストを軽減できる。
【００５５】
また、第１実施形態では、各送風機４００は、外気温度を測定可能な温度センサ５０１と、外気湿度を測定可能な湿度センサ５０２との測定結果に応じて制御される。従って、光透過部３００ａの外表面が露点温度を下回る場合に送風機４００を稼動させられるため、送風機４００の稼動コストを軽減できる。
【００５６】
［第２実施形態］
以下において、第２実施形態について、図面を参照しながら説明する。以下においては、第１実施形態と第２実施形態との相違点について主として説明する。
【００５７】
具体的には、第２実施形態では、投写型映像表示装置１００は、送風機４００から送り出される空気を光透過部３００ａの外表面に導く導風ダクトを備える。また、冷却装置２００は、光透過部３００ａの上方に設けられるひさし部を有する。
【００５８】
（投写型映像表示装置の構成）
以下において、第２実施形態に係る投写型映像表示装置の構成について、図面を参照しながら説明する。図５は、第２実施形態に係る投写型映像表示装置１００を示す図である。
【００５９】
図５に示すように、投写型映像表示装置１００は、導風ダクト４０１（導風ダクト４０１Ｂ,４０１Ｒ）を備える。
【００６０】
導風ダクト４０１の一端は、光透過部３００ａから離間して設けられた送風機４００に接続される。導風ダクト４０１の他端は、光透過部３００ａの外表面に向かって開口する。従って、導風ダクト４０１は、送風機４００から送り出される空気を光透過部３００ａの外表面に導く。
【００６１】
また、図５に示すように、空気ダクト２１０の外壁には、ひさし部２４０（ひさし部２４０Ｂ,２４０Ｒ）が形成されている。ひさし部２４０は、光透過部３００ａの上方において、光透過部３００ａの外縁に沿って設けられる。
【００６２】
ここで、図５に示すように、導風ダクト４０１Ｒの一部は、ひさし部２４０Ｒを構成する。従って、導風ダクト４０１Ｒの一端は、光透過部３００ａの上方において、空気ダクト２１０の外壁に接続される。
【００６３】
（作用及び効果）
第２実施形態では、投写型映像表示装置１００は、送風機４００から光透過部３００ａの外表面まで空気を導く導風ダクト４０１を備える。従って、送風機４００を光透過部３００ａから離間させられるため、送風機４００を配置する位置の自由度を向上することができる。
【００６４】
また、第２実施形態では、導風ダクト４０１Ｒは、光透過部３００ａの上方に設けられ、空気ダクト２１０の外側に差し出るひさし部２４０を有する。従って、空気ダクト２１０の外壁に凝結した水滴が光透過部３００ａの外表面に垂れ落ちることを抑制できる。
【００６５】
また、第２実施形態では、導風ダクト４０１Ｒの一部が、ひさし部２４０Ｒを構成する。従って、導風ダクト４０１Ｒをひさし部２４０Ｒとして利用できるため、別途、ひさし部２４０Ｒを設ける必要がない。
【００６６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６７】
例えば、上述した実施形態では、光学素子３００が光透過部３００ａを構成することとしたが、これに限られるものではない。投写型映像表示装置１００は、光学素子３００とは別に、光透過性部材によって形成される光透過部３００ａを備えていてもよい。
【００６８】
また、上述した実施形態では、光透過部がコンデンサレンズ１４０Ｒ,１４０Ｇ、リレーレンズ１５３及び密閉用レンズ１１０Ｌによって構成されることとしたが、これに限られるものではない。具体的には、ＵＶ／ＩＲカットフィルタ２０と密閉用レンズ１１０Ｌの２箇所を光透過部３００ａとし、その間をすべてダクトで囲む構成とすることができる。この場合、送風機４００は、ＵＶ／ＩＲカットフィルタ２０と密閉用レンズ１１０Ｌの外表面に空気を吹き送る。
【００６９】
また、上述した実施形態では特に触れていないが、送風機４００は、投写型映像表示装置１００の筐体内部から空気を吸入してもよいし、筐体外部から空気を吸入してもよい。
【００７０】
また、上述した実施形態では、ひさし部２４０は、光透過部３００ａの上方に設けられることとしたが、これに限られるものではない。具体的には、ひさし部２４０は、光透過部３００ａの外縁を取り囲むように設けられてもよい。このようなひさし部２４０は、投写型映像表示装置１００が、台上に配置される「据え置き型」と、投写型映像表示装置１００が天井から吊り下げられる「天吊り型」との両方で使用される場合において、天地逆にされる可能性があるときに有効である。
【００７１】
上述した実施形態では、冷却部２３０はコンプレッサーユニットであることとしたが、冷却装置２００は、ペルチェ素子を利用した冷却部を有していてもよい。
【００７２】
上述した実施形態では、表示装置として液晶パネル５０が用いられるが、これに限定されるものではない。表示装置としては、ＬＣＯＳ（Ｌｉｑｕｉｄ  Ｃｒｙｓｔａｌ  ｏｎ  Ｓｉｌｉｃｏｎ）やＤＭＤ（Ｄｅｇｉｔａｌ  Ｍｉｃｒｏｍｉｒｒｏｒ  Ｄｅｖｉｃｅ）などが用いられてもよい。
【００７３】
上述した実施形態では、光源１０としてＵＨＰランプが用いられることとしたが、固体光源を用いてもよい。
【００７４】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００７５】
【図１】第１実施形態に係る投写型映像表示装置１００の筐体内部の構造を示す図である。
【図２】第１実施形態に係る投写型映像表示装置１００の投写型映像表示装置１００を構成する光学素子の配置を示す図である。
【図３】第１実施形態に係る投写型映像表示装置１００の構成を示す模式図である。
【図４】第１実施形態に係る投写型映像表示装置１００の構成を示す図１のＡ−Ａ断面図である。
【図５】第２実施形態に係る投写型映像表示装置１００の構成を示す図１のＡ−Ａ断面図である。
【符号の説明】
【００７６】
１０…光源、２０…ＵＶ／ＩＲカットフィルタ、２１…ＵＶカットフィルタ、３０…フライアイレンズユニット、４０…ＰＢＳアレイ、５０…液晶パネル、５１…補償板、５２…入射側偏光板、５３…入射側プリ偏光板、５４…出射側プリ偏光板、５５…出射側偏光板、６０…クロスダイクロイックプリズム、１００…投写型映像表示装置、１１０…投写レンズユニット、１１０Ｌ…密閉用レンズ、１１１、１１２…ダイクロイックミラー、１２１〜１２３…反射ミラー、１３１〜１３３…コンデンサレンズ、１４０…コンデンサレンズ、１５１〜１５３…リレーレンズ、２００…冷却装置、２１０…空気ダクト、２１０ａ…空気流路、２２０…冷却ファン、２３０…冷却部、２４０…ひさし部、３００…光学素子、３００ａ…光透過部、４００…送風機、４０１…導風ダクト、５０１…温度センサ、５０２…湿度センサ、５０３…制御部
【図１】
2010048885.tif 000003
【図２】
2010048885.tif 000004
【図３】
2010048885.tif 000005
【図４】
2010048885.tif 000006
【図５】
2010048885.tif 000007